(57)【要約】【課題】  従来の軒瓦は、軒瓦を桁方向にスライドし、このスライドした距離のみ流れ方向へのスライドできき幅を調整するとともに、スライドによる垂部の重なりできき足を調整する構成である。軒瓦には適するが和形瓦、平板瓦、二山瓦等の棧瓦には採用できない。また従来の棧瓦は、棧瓦の棧切込みにカバー体を設け、頭側に長裾部を設けた構成を採用し、きき幅調整時の瓦とカバー体との隙間を、長裾部で被う構造であり有益である。きき足の調整はできない。【構成】  本発明は、第一・第二フラット面と、第一・第二膨出面を備えた瓦本体であって、瓦本体の尻棧山隅に調整用の切欠き部と葺き合せ用の切欠き部に構成し、葺き合せ用の切欠き部の内側に係合用の薄肉覆片を形成し、また頭差込み部隅に切欠きと差込み片を形成し、さらに少なくとも第二膨出面の頭側に略三角形状の調整用棧山頭側庇を設けたきき幅及び／又はきき足調整可能な調整瓦である。【選択図】            図５
2006183298.tif 000002
【特許請求の範囲】
【請求項１】
差込み部の谷となる第一フラット面と、中間部の谷となる第二フラット面とを備え、また棧山となる第二膨出面と、前記第一・第二フラット面間に設けた棧山となり得る第一膨出面を備えた瓦本体であって、
この瓦本体の尻棧山隅に二段の切欠きを形成し、この切欠きの一段を調整用の切欠き部とし、他の一段を葺き合せ用の切欠き部に構成し、またこの葺き合せ用の切欠き部の内側に係合用の薄肉覆片を形成し、
また前記頭差込み部隅に切欠きを形成し、この切欠きの尻側内方に前記薄肉覆片の下側に係合する係合用の差込み片を形成し、この差込み片と前記第一フラット面との間に切断可能な水返し兼調整用の突起を形成し、
さらに前記第二膨出面の尻側から頭側の長さに対して、前記差込み部の第一フラット面の尻側から頭側の長さを短く構成することで、この頭側の第二膨出面から第一フラット面を傾斜状に形成し、この少なくとも第二膨出面の頭側に略三角形状の調整用棧山頭側庇を設け、
前記瓦本体の尻側から差込み側に亙る略鍵形の水返し突条を形成したきき幅及び／又はきき足調整可能な調整瓦。
【請求項２】
請求項１に記載の第一・第二膨出面の頭側に、曲り形状の垂部を形成し、この垂部は他のきき幅及び／又はきき足調整可能な調整瓦の尻側の内方表面に添接される構成としたきき幅及び／又はきき足調整可能な調整瓦。
【請求項３】
請求項１に記載の第一・第二フラット面の頭側の端部表面に、水切り用の水平部を形成したきき幅及び／又はきき足調整可能な調整瓦。
【請求項４】
差込み部と棧山と、谷部とを備えた瓦本体であって、
この瓦本体の尻棧山隅に二段の切欠きを形成し、この切欠きの一段を調整用の切欠き部とし、他の一段を葺き合せ用の切欠き部に構成し、またこの葺き合せ用の切欠き部の内側に係合用の薄肉覆片を形成し、
また前記頭差込み部隅に切欠きを形成し、この切欠きの尻側内方に前記薄肉覆片の下側に係合する係合用の差込み片を形成し、この差込み片と前記第一フラット面との間に切断可能な水返し兼調整用の突起を形成し、
さらに差込み部の尻側から頭側の長さに対して、前記棧山の尻側から頭側の長さを長く構成することで、この尻側を直線状に形成し、またこの頭側を傾斜状に形成し、この少なくとも棧山の頭側に略三角形状の調整用棧山頭側庇を設け、
前記瓦本体の尻側から差込み側に亙る略鍵形の水返し突条を形成したきき幅及び／又はきき足調整可能な調整瓦。
【請求項５】
請求項４に記載の頭側の端部表面に、水切り用の水平部を形成したきき幅及び／又はきき足調整可能な調整瓦。
【発明の詳細な説明】
【技術分野】
【０００１】
本発明は、屋根の桁方向及び／又は流れ方向（勾配方向）に調整できる調整瓦、即ち、きき幅及び／又はきき足調整可能な調整瓦に関する。
【背景技術】
【０００２】
：  この種のきき幅及び／又はきき足調整可能な調整瓦を採用することによる利点として、次のようなことが考えられる。この種の瓦の葺設現場において、瓦のカットを無くし（切れ端の発生を無くし）、この切れ端の発生による弊害、例えば、その廃棄処理と、瓦製造・販売元へのこの切れ端の搬送等による煩わしい処理等を無くすること、又は廃棄及び／又はカットの際に発生する粉塵等による環境の破壊の回避すること、さらに前記葺設作業の簡略化等が図れること等があり、近時、この種の調整瓦は必要不可欠と考えられる状況となりつつある。
【０００３】
従って、この調整瓦に関する文献も散見されるので、その一例を説明する。但し、列挙する各文献（１）〜（３）は、切れ端の発生弊害及び／又は処理に関する例示はないが、包括的に検討すれば、この切れ端の発生弊害にも効果が及ぶと考えられる。先ず文献（１）は実開昭６０−１７７２２１号の「軒瓦」であり、この考案は、軒瓦の頭側に設けた垂部を有する構成であって、この垂部は軒瓦を平面視した状態で、この垂部の幅を、略垂部の幅分内方又は外方に傾斜した状態とし、この傾斜した垂部（調整用の被り傾斜部）を利用し、この軒瓦の横方向及び／又は流れ方向にスライド可能（換言すると、きき幅及び／又はきき足調整可能）としたことを特徴とする。しかし、この文献（１）における流れ方向に於けるスライドは、軒瓦を桁方向にスライドし、この軒瓦の垂部が桁方向にスライドした距離のみ流れ方向にスライド可能となり、きき足の調整ができる構成である。従って、軒瓦に採用するには最適であるが、棧瓦への採用には工夫を要する（後述する文献（３）も同じと考えられる）。また文献（２）は実開平１−６４５１９号の「和風棧瓦」であり、この考案は、四角形の平面形状を有する瓦の側辺（頭側）を、棧切込み側を長辺に、差込み側を短辺とし、この頭側を傾斜状に形成（頭側に長裾部を形成：調整用の被り傾斜部）するとともに、前記棧切込み部に薄肉のカバー体を膨出した構成であって、前記傾斜状の頭側とカバー体とを利用し、この瓦の横方向及び／又は流れ方向にスライド可能としたことを特徴とする。尚、この考案には、瓦の割付けが瓦を切欠くことなく行える可能性があると開示されている。次に文献（３）は、特開平８−５３９０６号の「軒瓦及びその瓦葺き方法」であり、この発明は、軒瓦において、棧山側をその頭側から尻側までの長さを長くし、また差込み側をその頭側から尻側までの長さを短く構成することで、この頭側の垂部を差込み側から棧山側に向かって傾斜形状に形成し、この傾斜した垂部（調整用の被り傾斜部）を利用し、この瓦の横方向及び／又は流れ方向にスライド可能としたことを特徴とする。
【０００４】
：  次に二山形状の瓦であって、その流れ方向にスライド可能としたこと構成に関する文献も散見されるので、その一例を説明する。文献（４）は、特開平３−２６０２４７号の「軽量耐風雨波形瓦および固定方法」であり、この発明は、瓦本体の肩隅角部に肩覆部を小口切込部に差込受片を有し、頭側に下縁突起を形成した構成であり、前記肩覆部と差込受片との係合で、耐震・耐風雨効果を図ること、また前記頭側の下縁突起で、この頭側を保護すること等を特徴とする。また文献（５）は、特開２００２−５４２７１は「棧瓦」であり、この発明は、瓦本体の尻側切込みに第１係合片（肩隅角部）に頭側切込みに第２係合片（差込受片）を有し、頭側に下方に湾曲した垂部を形成した構成であり、前記第１係合片と第２係合片との係合で、耐震・耐風雨効果を図ること、また前記頭側の湾曲した垂部で、この頭側を保護すること等を特徴とする。さらに文献（６）は、特開２００４−２０４４４３の「屋根用棧瓦」であり、その構成は前述の文献（５）に準ずる。
【０００５】
【特許文献１】実開昭６０−１７７２２１号
【特許文献２】実開平１−６４５１９号
【特許文献３】特開平８−５３９０６号
【特許文献４】特開平３−２６０２４７号
【特許文献５】特開２００２−５４２７１
【特許文献６】特開２００４−２０４４４３
【発明の開示】
【発明が解決しようとする課題】
【０００６】
前記文献（１）の考案と、文献（３）の発明は軒瓦に関するものであり、概説すると軒瓦を桁方向にスライドし、この軒瓦の垂部が桁方向にスライドした距離のみ流れ方向にスライド可能となり、きき幅を調整するとともに、垂部の重なりを利用してきき足を調整する構成である。従って、軒瓦には適する反面、和形瓦、平板瓦、二山瓦等の棧瓦には採用できない構造である。また文献（２）は棧切込みにカバー体を設け、頭側に長裾部を設けた構成を採用し、きき幅調整時の瓦とカバー体との隙間を、長裾部で被う構造であり、有益である。しかし、きき足の調整はできない問題点がある。
【０００７】
また文献（４）〜（６）の発明は二山形状の瓦であって、きき足（昇り足）調整を可能とした構成であり、きき幅の調整を意図した構成でない。従って、本発明が意図する葺設現場において、瓦のカットによる切れ端の発生を無くし、この切れ端の廃棄処理と、瓦製造・販売元への搬送等による煩わしい処理を無くすること、又は廃棄及び／又はカットの際に発生する粉塵等による環境の破壊の回避すること、さらに前記葺設作業の簡略化等を図ること等のための調整瓦としては、十分ではないと考えられる。
【課題を解決するための手段】
【０００８】
請求項１の発明は、第一のフラット面に第二膨出面を摺動可能に設けるか、又は第一のフラット面の頭側に設けた差込み片に、下側に葺設される瓦の第二膨出面の尻側に設けた薄肉覆片を調整自在に葺設し、この調整で差込み片と調整用の切欠き部（薄肉覆片）で形成された隙間及び／又は頭側の切欠きと下側に葺設される瓦の尻側の葺き合せ用の切欠きで形成された隙間を、第二膨出面の頭側に設けた略三角形状の調整用棧山頭側庇でカバーする構成として、きき幅及び／又はきき足の調整ができる瓦を提供し、屋根幅に対応した割付けを可能とすることを意図する。そして、瓦のカットによる切れ端の発生を無くし、この切れ端の廃棄処理と、瓦製造・販売元への搬送等による煩わしい処理等を無くすること、又は廃棄及び／又はカットの際に発生する粉塵等による環境破壊を回避すること、さらに前記葺設作業の簡略化等が図れる調整瓦を提供すること等を意図する。
【０００９】
請求項１は、差込み部の谷となる第一フラット面と、中間部の谷となる第二フラット面とを備え、また棧山となる第二膨出面と、前記第一・第二フラット面間に設けた棧山となり得る第一膨出面を備えた瓦本体であって、
この瓦本体の尻棧山隅に二段の切欠きを形成し、この切欠きの一段を調整用の切欠き部とし、他の一段を葺き合せ用の切欠き部に構成し、またこの葺き合せ用の切欠き部の内側に係合用の薄肉覆片を形成し、
また前記頭差込み部隅に切欠きを形成し、この切欠きの尻側内方に前記薄肉覆片の下側に係合する係合用の差込み片を形成し、この差込み片と前記第一フラット面との間に切断可能な水返し兼調整用の突起を形成し、
さらに前記第二膨出面の尻側から頭側の長さに対して、前記差込み部の第一フラット面の尻側から頭側の長さを短く構成することで、この頭側の第二膨出面から第一フラット面を傾斜状に形成し、この少なくとも第二膨出面の頭側に略三角形状の調整用棧山頭側庇を設け、
前記瓦本体の尻側から差込み側に亙る略鍵形の水返し突条を形成したきき幅及び／又はきき足調整可能な調整瓦である。
【００１０】
請求項２の発明は、請求項１の目的を達成すること、又はこの目的を達成するに最適な第一・第二膨出面の頭側の垂部を提供すること等を意図する。
【００１１】
請求項２は、請求項１に記載の第一・第二膨出面の頭側に、曲り形状の垂部を形成し、この垂部は他のきき幅及び／又はきき足調整可能な調整瓦の尻側の内方表面に添接される構成としたきき幅及び／又はきき足調整可能な調整瓦である。
【００１２】
請求項３の発明は、請求項１の目的を達成すること、又はこの目的を達成するに最適な第一・第二フラット面の頭側の端部表面を提供すること等を意図する。
【００１３】
請求項３は、請求項１に記載の第一・第二フラット面の頭側の端部表面に、水切り用の水平部を形成したきき幅及び／又はきき足調整可能な調整瓦である。
【００１４】
請求項４の発明は、差込み部に棧山を摺動可能に設けるか、又は差込み部の頭側に設けた差込み片に、下側に葺設される瓦の棧山の尻側に設けた薄肉覆片を調整自在に葺設し、この調整で差込み片と調整用の切欠き部で形成された隙間及び／又は頭側の切欠きと下側に葺設される瓦の尻側の葺き合せ用の切欠きで形成された隙間とを、棧山の頭側に設けた略三角形状の調整用棧山頭側庇でカバーする構成として、きき幅及び／又はきき足の調整ができる瓦を提供し、屋根幅に対応した割付けを可能とすることを意図する。そして、瓦のカットによる切れ端の発生を無くし、この切れ端の廃棄処理と、瓦製造・販売元への搬送等による煩わしい処理等を無くすること、又は廃棄及び／又はカットの際に発生する粉塵等による環境破壊を回避すること、さらに前記葺設作業の簡略化等が図れる調整瓦を提供すること等を意図する。
【００１５】
請求項４は、差込み部と棧山と、谷部とを備えた瓦本体であって、
この瓦本体の尻棧山隅に二段の切欠きを形成し、この切欠きの一段を調整用の切欠き部とし、他の一段を葺き合せ用の切欠き部に構成し、またこの葺き合せ用の切欠き部の内側に係合用の薄肉覆片を形成し、
また前記頭差込み部隅に切欠きを形成し、この切欠きの尻側内方に前記薄肉覆片の下側に係合する係合用の差込み片を形成し、この差込み片と前記第一フラット面との間に切断可能な水返し兼調整用の突起を形成し、
さらに差込み部の尻側から頭側の長さに対して、前記棧山の尻側から頭側の長さを長く構成することで、この尻側を直線状に形成し、またこの頭側を傾斜状に形成し、この少なくとも棧山の頭側に略三角形状の調整用棧山頭側庇を設け、
前記瓦本体の尻側から差込み側に亙る略鍵形の水返し突条を形成したきき幅及び／又はきき足調整可能な調整瓦である。
【００１６】
請求項５の発明は、請求項４の目的を達成すること、又はこの目的を達成するに最適な瓦の頭側の端部表面構造を提供すること等を意図する。
【００１７】
請求項５は、請求項４に記載の頭側の端部表面に、水切り用の水平部を形成したきき幅及び／又はきき足調整可能な調整瓦である。
【発明の効果】
【００１８】
請求項１の発明は、差込み部の谷となる第一フラット面と、中間部の谷となる第二フラット面とを備え、また棧山となる第二膨出面と、前記第一・第二フラット面間に設けた棧山となり得る第一膨出面を備えた瓦本体であって、
瓦本体の尻棧山隅に二段の切欠きを形成し、切欠きの一段を調整用の切欠き部とし、他の一段を葺き合せ用の切欠き部に構成し、葺き合せ用の切欠き部の内側に係合用の薄肉覆片を形成し、
また頭差込み部隅に切欠きを形成し、切欠きの尻側内方に薄肉覆片の下側に係合する係合用の差込み片を形成し、差込み片と第一フラット面との間に切断可能な水返し兼調整用の突起を形成し、
さらに第二膨出面の尻側から頭側の長さに対して、差込み部の第一フラット面の尻側から頭側の長さを短く構成することで、頭側の第二膨出面から第一フラット面を傾斜状に形成し、少なくとも第二膨出面の頭側に略三角形状の調整用棧山頭側庇を設け、
瓦本体の尻側から差込み側に亙る略鍵形の水返し突条を形成したきき幅及び／又はきき足調整可能な調整瓦である。
【００１９】
従って、請求項１は、第一フラット面に第二膨出面を摺動可能に設けるか、又は第一フラット面の頭側に設けた差込み片に、下側に葺設される瓦の第二膨出面の尻側に設けた薄肉覆片を調整自在に葺設し、この調整で差込み片と調整用の切欠き部（薄肉覆片）で形成された隙間及び／又は頭側の切欠きと下側に葺設される瓦の尻側の葺き合せ用の切欠きで形成された隙間を、第二膨出面の頭側に設けた略三角形状の調整用棧山頭側庇でカバーする構成として、きき幅及び／又はきき足の調整ができる瓦を提供し、屋根幅に対応した割付けが可能となる特徴がある。そして、瓦のカットによる切れ端の発生を無くし、この切れ端の廃棄処理と、瓦製造・販売元への搬送等による煩わしい処理等を無くすること、又は廃棄及び／又はカットの際に発生する粉塵等による環境破壊を回避すること、さらに前記葺設作業の簡略化等が図れる調整瓦を提供できること等の特徴がある。
【００２０】
請求項２の発明は、請求項１に記載の第一・第二膨出面の頭側に、曲り形状の垂部を形成し、垂部は他のきき幅及び／又はきき足調整可能な調整瓦の尻側の内方表面に添接される構成としたきき幅及び／又はきき足調整可能な調整瓦である。
【００２１】
従って、請求項２は、請求項１の目的を達成できること、又はこの目的を達成するに最適な第一・第二膨出面の頭側の垂部を提供できること等の特徴がある。
【００２２】
請求項３の発明は、請求項１に記載の第一・第二フラット面の頭側の端部表面に、水切り用の水平部を形成したきき幅及び／又はきき足調整可能な調整瓦である。
【００２３】
従って、請求項３は、請求項１の目的を達成できること、又はこの目的を達成するに最適な第一・第二フラット面の頭側の端部表面を提供できること等の特徴がある。
【００２４】
請求項４の発明は、差込み部と棧山と、谷部とを備えた瓦本体であって、
瓦本体の尻棧山隅に二段の切欠きを形成し、切欠きの一段を調整用の切欠き部とし、他の一段を葺き合せ用の切欠き部に構成し、葺き合せ用の切欠き部の内側に係合用の薄肉覆片を形成し、
また頭差込み部隅に切欠きを形成し、切欠きの尻側内方に薄肉覆片の下側に係合する係合用の差込み片を形成し、差込み片と第一フラット面との間に切断可能な水返し兼調整用の突起を形成し、
さらに差込み部の尻側から頭側の長さに対して、棧山の尻側から頭側の長さを長く構成することで、尻側を直線状に形成し、また頭側を傾斜状に形成し、少なくとも棧山の頭側に略三角形状の調整用棧山頭側庇を設け、
瓦本体の尻側から差込み側に亙る略鍵形の水返し突条を形成したきき幅及び／又はきき足調整可能な調整瓦である。
【００２５】
従って、請求項４は、差込み部に棧山を摺動可能に設けるか、又は差込み部の頭側に設けた差込み片に、下側に葺設される瓦の棧山の尻側に設けた薄肉覆片を調整自在に葺設し、この調整で差込み片と調整用の切欠き部で形成された隙間及び／又は頭側の切欠きと下側に葺設される瓦の尻側の葺き合せ用の切欠きで形成された隙間とを、棧山の頭側に設けた略三角形状の調整用棧山頭側庇でカバーする構成として、きき幅及び／又はきき足の調整ができる瓦を提供し、屋根幅に対応した割付けが可能となる特徴がある。そして、瓦のカットによる切れ端の発生を無くし、この切れ端の廃棄処理と、瓦製造・販売元への搬送等による煩わしい処理等を無くすること、又は廃棄及び／又はカットの際に発生する粉塵等による環境破壊を回避すること、さらに前記葺設作業の簡略化等が図れる調整瓦を提供できる特徴がある。
【００２６】
請求項５の発明は、請求項４に記載の頭側の端部表面に、水切り用の水平部を形成したきき幅及び／又はきき足調整可能な調整瓦である。
【００２７】
従って、請求項５は、請求項４の目的を達成できること、又はこの目的を達成するに最適な瓦の頭側の端部表面構造を提供できること等の特徴がある。
【発明を実施するための最良の形態】
【００２８】
本発明の一例を説明する。
【００２９】
図面の説明をすると、図１は本発明の第一の実施例（二山形状の瓦）を示す平面図、図２は図１の例の裏面図、図３は図１の例の尻棧山隅に設けた薄肉覆片と、頭差込み部隅に設けた差込み片との係合葺き合せ関係を示した拡大平面図、図４は図３の要部の拡大断面図、図５は図１の例の葺き合せの状態を示した俯瞰図、図６は図１の瓦を隅棟に使用した状態を示した俯瞰図、図７は本発明の第二の実施例（和形瓦）を示す平面図、図８は図７の例の裏面図である。
【００３０】
図１〜図６に示した第一の実施例を説明すると、１は二山形状の瓦本体で、この瓦本体１の表面の１ａには、差込み部１００（差込み側）の谷部１０４となる第一フラット面２と、中間部の谷部１０４−１となる第二フラット面３とを備え、また棧山１０１（棧側）となる第二膨出面４と、前記第一・第二フラット面２、３間に設けた棧山１０１−１となり得る第一膨出面５を備える。また瓦本体１の尻棧山隅Ａに二段の切欠き６を形成し、切欠き６の一段６ａを調整用の切欠き部８とし、他の一段６ｂを葺き合せ用の切欠き部７に構成し、また葺き合せ用の切欠き部７の内側に係合用の薄肉覆片９を形成する（葺き合せ用の切欠き部７の内側であって、その裏面側に設けた構成である）。さらに頭差込み部隅Ｂに切欠き１０を形成し、切欠きの尻側内方に薄肉覆片９の下側に係合する係合用の差込み片１１を形成し、差込み片１１と前記第一フラット面２との間に切断可能な水返し兼調整用の突起１２を形成する。尚、前記第二膨出面４の尻側１０２から頭側１０３の長さに対して、差込み部１００の谷となる第一フラット面２の尻側１０２から頭側１０３の長さを短く構成することで、頭側１０３の第二膨出面４から第一フラット面２を傾斜状に形成し、少なくとも第二膨出面４の頭側に略三角形状の調整用棧山頭側庇１３を設ける。また瓦本体１の尻側１０２から差込み部１００に亙る略鍵形の水返し突条１４を形成する。そして、この例では、水返し突条１４と水返し兼調整用の突起１２とを連結する。
【００３１】
またこの瓦本体１の裏面の１ｂには、表面１ａの第一フラット面２に相似する第三フラット面２０と、同第二フラット面３に相似する第四フラット面２１とを備え、また同第二膨出面４に対応する第二窪み面２２と、同第一膨出面５に対応する第一窪み面２３とを備える。図中２４は釘孔、２５は引掛けを示す。
【００３２】
尚、図６に示した瓦を隅棟に使用した例では、三角形状の隅棟用の瓦本体００１で、予め工場で製造する。この瓦本体００１を利用して隅棟を葺設する。尚、隅棟瓦の図示は省略する。このように、瓦本体００１を工場で製造し、切り端の発生を回避し、また瓦本体１を予めカットした形状を確保する。図中００２は水返し突条を示す。そして、この瓦本体００１の基本的な構造は、前述の瓦本体１に準ずる。
【００３３】
次にこの瓦本体１の葺設状態を図３、図５、図６を参照して説明する。この例における瓦本体１−１、瓦本体１−２、瓦本体１−３は、瓦本体１と同じ構造であり、同じ符号と名称を使用する。以下、葺設を詳細に説明すると、図５の筋葺きにおいて（千鳥葺きも可能であるが、代表例として、筋葺きで説明する。図示しない他の瓦も同じ）、図示しない屋根地の横棧に、引掛け２５を係止するとともに、釘孔２４から釘を打設又は捩込み等して緊締する。この作業で、瓦本体１（瓦１）が葺き上げられる。尚、この例では、瓦本体１の棧山１０１に設けた第二膨出面４（瓦本体１の第二膨出面４とする）は、葺設済みで同じ構造の瓦本体１−１の差込み部１００側に設けた第一フラット面２（瓦本体１−１の第一フラット面２とする）に重ね葺きされた状態であって、図５の例で下段の瓦本体１と瓦本体１−１が併設状態になっている。続いて、この瓦本体１に上段の同じ構造の瓦本体１−２を葺き上げる。この場合、下段の瓦本体１の尻側１０２に、瓦本体１−２の頭側１０３を被せ葺きする。即ち、この下段の瓦本体１の第一・第二膨出面５・４及び／又は第一・第二フラット面２・３の尻側１０２の内方に、この上段の瓦本体１−２の第一・第二膨出面５・４及び／又は第一・第二フラット面２・３の頭側１０３の内方が葺き上げられるとともに、瓦本体１−２の頭側１０３に設けた垂部１５（瓦本体１−２の垂部１５とする）が、この下段の瓦本体１の第一・第二膨出面５・４に添接される。この添接で雨仕舞い及び／又は耐震が図れる。尚、瓦本体１−２の第一・第二フラット面２・３の頭側１０３の端部には、水平部１６がそれぞれ形成されており、この第一・第二フラット面２・３を流れる雨水の飛び散りを利用し、裏面１ｂへの廻り込みを回避する（雨仕舞いの向上が図れる）。この瓦本体１の第一・第二膨出面５・４及び／又は第一・第二フラット面２・３に対する瓦本体１−２の第一・第二膨出面５・４及び／又は第一・第二フラット面２・３の重ね葺きの長さと、また垂部１５、水平部１６の構造とを利用して、きき足の調整を図り、流れ方向の割付けを確保し、切れ端の発生を無くす。図中１７は裏面１ｂの頭側１０３に設けた水返し突条である。
【００３４】
以上のようにして葺設された瓦本体１、瓦本体１−１、瓦本体１−２に、上段の瓦本体１−３を葺き上げる。即ち、前記瓦本体１の尻棧山隅Ａと、瓦本体１−１の第一フラット面２との隙間Ｘに、上段の瓦本体１−３の頭差込み部隅Ｂに設けた差込み片１１（瓦本体１−３の差込み片１１とする）を差込むとともに、この差込み片１１をこの瓦本体１の尻棧山隅Ａに設けた薄肉覆片９（瓦本体１の薄肉覆片９とする）の薄肉部Ｙの下側に差込むように葺設する。この差込み片１１と薄肉覆片９との重ね合わせ、またこの瓦本体１の葺き合せ用の切欠き部７及び／又は調整用の切欠き部８と、瓦本体１−３の水返し兼調整用の突起１２及び／又は切欠き１０との接触（衝止）による調整と、この接触からの離間（葺き合せ用の切欠き部７及び／又は調整用の切欠き部８と、水返し兼調整用の突起１２及び／又は切欠き１０とに隙間を作る「図示せず」）による調整等で、この瓦本体１と瓦本体１−３との割付け調整（きき幅調整）を図り、切り端の発生を無くす。尚、この際に、前記差込み片１１と薄肉覆片９との重ね合わせ関係は雨仕舞い及び／又は耐震等の見地から維持する。また差込み片１１と第一フラット面２を面一にし、調整用の切欠き部８と切欠き１０との間に調整用の隙間（図示せず）を予め設ける例では、図示しないがこの水返し兼調整用の突起１２をカットし、この調整用の切欠き部８をさらに第一フラット面２に移動することで、最大のきき幅調整が可能となる。
【００３５】
尚、きき幅を最大とした例で、前記瓦本体１の葺き合せ用の切欠き部７及び／又は調整用の切欠き部８と、瓦本体１−３の水返し兼調整用の突起１２及び／又は切欠き１０とが離間し、調整用の隙間（図示せず）が発生した場合には、この調整用の隙間を調整用棧山頭側庇１３がカバーし、雨水及び／又は葉、塵等の浸入防止等が図れる。勿論、通常の葺設でも調整用棧山頭側庇１３がカバーし、雨水及び／又は葉、塵等の浸入防止が図れること、又は重ね葺きによる耐震も考えられること等の特徴がある。
【００３６】
図７、図８に示した第二の実施例を説明すると、この瓦本体１は和形瓦であり、その基本的な構造及び／又は葺設は、前述の第一の実施例の構造に準ずる。従って、その相違点の一例を説明すると、この瓦本体１を棧山１０１と、谷部１０４及び差込み部１００とで構成する内容が挙げられる。そして、前述の如く、基本的な構造である尻棧山隅Ａには設けた切欠き６（葺き合せ用の切欠き部７及び／又は調整用の切欠き部８）、薄肉覆片９の内容、また頭差込み部隅Ｂに設けた差込み片１１、切欠き１０、また水返し兼調整用の突起１２等の内容は、また頭側１０３の調整用棧山頭側庇１３等の内容は同じである。
【図面の簡単な説明】
【００３７】
【図１】図１は本発明の第一の実施例（二山形状の瓦）を示す平面図
【図２】図２は図１の例の裏面図
【図３】図３は図１の例の尻棧山隅に設けた薄肉覆片と、頭差込み部隅に設けた差込み片との係合葺き合せ関係を示した拡大平面図
【図４】図４は図３の要部の拡大断面図
【図５】図５は図１の例の葺き合せの状態を示した俯瞰図
【図６】図６は図１の瓦を隅棟に使用した状態を示した俯瞰図
【図７】図７は本発明の第二の実施例（和形瓦）を示す平面図
【図８】図８は図７の例の裏面図
【符号の説明】
【００３８】
１                瓦本体
１ａ              表面
１ｂ              裏面
１００            差込み部（差込み側）
１０１            棧山（棧側）
１０１−１        棧山
１０２            尻側
１０３            頭側
１０４            谷部
１０４−１        谷部
１−１            瓦本体
１−２            瓦本体
１−３            瓦本体
２                第一フラット面
３                第二フラット面
４                第二膨出面
５                第一膨出面
６                切欠き
６ａ              一段
６ｂ              他の一段
７                葺き合せ用の切欠き部
８                調整用の切欠き部
９                薄肉覆片
１０              切欠き
１１              差込み片
１２              水返し兼調整用の突起
１３              調整用棧山頭側庇
１４              水返し突条
１５              垂部
１６              水平部
１７              水返し突条
２０              第三フラット面
２１              第四フラット面
２２              第二窪み面
２３              第一窪み面
２４              釘孔
２５              引掛け
００１            瓦本体
００２            水返し突条
Ａ                尻棧山隅
Ｂ                頭差込み部隅
Ｘ                隙間
Ｙ                薄肉部
【図１】
2006183298.tif 000003
【図２】
2006183298.tif 000004
【図３】
2006183298.tif 000005
【図４】
2006183298.tif 000006
【図５】
2006183298.tif 000007
【図６】
2006183298.tif 000008
【図７】
2006183298.tif 000009
【図８】
2006183298.tif 000010